(57)【特許請求の範囲】
【請求項１】
吊下ロープのロープ径に対して僅かに太径の円形穴に連通して当該吊下げロープを押し込むことができる幅の切欠部が形成されるロープ取付部と、このロープ取付部の少なくとも一方側に突き出して形成され防護ネットの取付孔に余裕をもって挿通できる太さとされるネット連結部と、このネット連結部の上面側に先端側が当該ネット連結部と同一平面とされて後方に向かって高くなる傾斜面と後端垂直面を備え押えることで収納できるとともに、押し込まれた後弾性で上昇する前記取付孔に対する抜け止めとからなり、前記吊下げロープに多数装着しても絡み合う部分がなく合成樹脂で一体に成形してなることを特徴とする防護ネット用連結具。
【請求項２】
前記ロープ取付部の前記切欠部の前方両側に前記ネット連結部を突き出して形成したことを特徴とする請求項１記載の防護ネット用連結具。
【請求項３】
前記ロープ取付部および前記切欠部を、前記吊下ロープに押し込むことができる間隔でロープ吊下方向に配置される２つの板状の係止部材を形成するとともに、これら２つの板状の係止部材に上下に貫通する前記円形穴を形成し、これら円形穴のそれぞれにロープ吊下方向と交差した相対する外側に開口する開口部を形成して構成したことを特徴とする請求項１または２記載の防護ネット用連結具。
【発明の詳細な説明】
【０００１】
【発明が属する技術分野】
この発明は建築構造物などの外壁面などへの作業の際の落下物などの飛散を防止する防護ネットを吊下ロープに取付ける防護ネット用連結具に関するものである。
【０００２】
【従来の技術】
建築構造物などの構造物の外壁面に対して補修作業などを行う場合には、作業に伴なう飛散物や落下物による危険を防止するため、防護ネットを取付けて作業を行うようにしている。
【０００３】
この防護ネットは、構造物の屋上に突き出して一定の間隔で取付けた突梁の先端相互間に配置される横けたに上端縁を取付け、両側縁を突梁と養生台等との間に張られた吊下ロープに連結金具で連結するようにし、屋上などに設置したネット昇降用巻上げ装置で、横けたごと上昇することで張設されている。
【０００４】
このような防護ネットの吊下ロープとの連結に用いる連結金具１は、図３に斜視外観と使用状態を示すように、１本の鋼線を中央部から「８」の字状に曲げて円形状のロープ挿通部２と鋼線両端部の鍵状の係止部３で開閉されるネット取付部４とを備えて構成されている。
【０００５】
そして、防護ネットＮ，Ｎの取付けに当たっては、連結金具１のネット取付部４の鍵状の係止部３をネット取付部４の周囲を押えるようにして係止を開放し、ネット取付部４内に吊下ロープＲを入れた後、ロープ挿通部２とネット取付部４との交差部分（８の字の交差部分）５を押し拡げて吊下ロープＲをロープ挿通部２に通した状態にし、この後、開放状態のネット取付部４の鍵状の係止部３を防護ネットＮ，Ｎの取付孔ｎ，ｎに通して係止部３を引っ掛けて閉じた状態にして取付けるようにしている。
【０００６】
このような連結金具１を用いて行う防護ネットの張設は、横けたを養生台部分まで下降させた状態で、防護ネットＮの取付孔ｎの上下の間隔にしたがって上昇させながら、係止部３の開放、吊下ロープＲへのロープ挿通部２の装着、ネット取付部４の取付孔ｎへの挿入、係止部３の係止を繰り返すことで行われる。
【０００７】
【発明が解決しようとする課題】
ところが、この連結金具１では、係止部３の開放及び係止のためネット取付部４を両側から指で押える必要があるが、鋼線で造られていることからその操作回数が多くなると作業者の負担が大きく、例えば４５cm間隔程度に連結金具１が使用され、しかも作業者一人が左右３か所の吊下ワイヤＲに対して連結金具１を取付けることから一層作業の負担が大きいという問題がある。
【０００８】
また、例えば台風などの強風時に防護ネットＮに加わる風圧による被害を解消するため、一時的に防護ネットＮを降下させる場合があるが、この場合に横けたごと降下させると、吊下ロープＲに挿通した連結金具１同志が接触して係止部３が他の連結金具の係止部に引っ掛かってしまい、スムーズに上昇することができないという問題がある。
【０００９】
さらに、連結金具１を箱などに入れて運搬すると、係止部３が他の連結金具の係止部などに引っ掛かったり、交差部分５の間に他の連結金具が入り込んで絡み合って、スムーズに取り出して使用することができないという問題もある。
【００１０】
この発明はかかる従来技術が有する課題を解決するためになされたものであり、防護ネットへの取付け・取外しが簡単にできるとともに、引っ掛かったり、絡み合ったりすることがなく、スムーズに作業を行うことができる防護ネット用連結具を提供しようとするものである。
【００１１】
【課題を解決するための手段】
上記課題を解決するため、この発明の請求項１記載の防護ネット用連結具は、吊下ロープのロープ径に対して僅かに太径の円形穴に連通して当該吊下げロープを押し込むことができる幅の切欠部が形成されるロープ取付部と、このロープ取付部の少なくとも一方側に突き出して形成され防護ネットの取付孔に余裕をもって挿通できる太さとされるネット連結部と、このネット連結部の上面側に先端側が当該ネット連結部と同一平面とされて後方に向かって高くなる傾斜面と後端垂直面を備え押えることで収納できるとともに、押し込まれた後弾性で上昇する前記取付孔に対する抜け止めとからなり、前記吊下げロープに多数装着しても絡み合う部分がなく合成樹脂で一体に成形してなることを特徴とするものである。
【００１２】
この防護ネット用連結具によれば、ロープ取付部に切欠部を形成するとともに、ロープ取付部の一方側または両側に突き出して抜け止めが形成されたネット連結部を形成するようにしており、吊下ロープを切欠部からロープ取付部に入れるようにするとともに、ネット連結部をネットの取付孔に抜け止めに抗して押し込むことで簡単に吊下ロープと防護ネットとの連結ができるようになり、作業者の負担が少なく、絡み合うこと無く使用することができるようになる。
【００１３】
また、この発明の請求項２記載の防護ネット用連結具は、請求項１記載の構成に加え、前記ロープ取付部の前記切欠部の前方両側に前記ネット連結部を突き出して形成したことを特徴とするものである。
【００１４】
この防護ネット用連結具によれば、ロープ取付部の切欠部の幅を吊下ロープを押し込むことができるように狭めるとともに、両側の２つのネット連結部側に開口するようにしており、一層確実に吊下ロープに支持できるとともに、吊下ロープへの取付けと防護ネットの取付けを同一方向への操作で行うことができるようになる。
【００１５】
さらに、この発明の請求項３記載の防護ネット用連結具によれば、請求項１または２記載の構成に加え、前記ロープ取付部および前記切欠部を、前記吊下ロープに押し込むことができる間隔でロープ吊下方向に配置される２つの板状の係止部材を形成するとともに、これら２つの板状の係止部材に上下に貫通する前記円形穴を形成し、これら円形穴のそれぞれにロープ吊下方向と交差した相対する外側に開口する開口部を形成して構成したことを特徴とするものである。
【００１６】
この防護ネット用連結具によれば、ロープ取付部を吊下ロープの軸方向に間隔をあけて吊下ロープを押し込むことができる２つの係止部材と、これら２つの係止部材のそれぞれに逆方向の外側から吊下ロープが入る開口を形成するようにしており、２つの係止部材の間から入れた吊下ロープを外側の開口から起すようにすることで簡単に吊下ロープの取付けができ、しかも取付後の抜け落ちの恐れがなく、確実な取付けができるようになる。
【００１７】
【発明の実施の形態】
以下、この発明の実施の形態を図面に基づき詳細に説明する。
図１はこの発明の防護ネット用連結具の一実施の形態にかかる外観斜視図および使用状態の斜視図である。
【００１８】
この防護ネット用連結具１０は、合成樹脂で一体に成形されており、例えばナイロン６６で造られる。
【００１９】
この防護ネット用連結具１０は外形が略Ｕ字状に形成されており、中央部に吊下ロープＲを取付けるためのロープ取付部１１が形成され、このロープ取付部１１の両側に防護ネットＮを連結するためのネット連結部１２がそれぞれ形成されている。
【００２０】
そして、ロープ取付部１１には、吊下ロープＲを通すためのロープ径に対応して僅かに太径の円形穴１３が形成される（例えば、吊下ロープＲの直径８mmに対して円形穴１３の直径を１２mmとする。) とともに、この円形穴１３に連通してネット連結部１２側に吊下ロープＲを押し込むことができる幅（例えば吊下ロープＲの直径８mmに対して切欠部１４の幅を７〜７．５mmとする。) の切欠部１４が形成されており、この切欠部１４から吊下ロープＲを押し込むようにすることで吊下ロープＲをロープ取付部１１の円形穴１３内に装着することができ、しかも簡単に抜け出さないようにすることができる。
【００２１】
このロープ取付部１１の両側に突き出して略Ｕ字状に配置されるネット連結部１２は、防護ネットＮの両側縁に一定間隔で形成してある取付孔ｎの鳩目１５に余裕をもって挿通できる太さ（例えば、鳩目１５の直径を１３mmに対して最大太さ部分を１１mmとする。）とされ、その上面側に一体に抜け止め１６が突き出すように形成されており、抜け止め１６の先端側がネット連結部１２と同一平面とされ、後方に向かうにしたがって高くなる傾斜面を備え、後端が垂直面となるように形成され（例えば、幅が３．５mmで投影長さが１５mm、後端の高さが４．５mmとされる。）、抜け止め１６自体を上から押えることで、ネット連結部１２の中空部内に収納できるようになっている。
【００２２】
したがって、この抜け止め１６は、通常の状態ではネット連結部１２の上面側に突き出しており、このままの状態で防護ネットＮの取付孔ｎの鳩目１５に押し込むようにすると、抜け止め１６がその傾斜面によって中空部内に押し込まれた後、その弾性によって上昇し、抜け止め１６の後端の垂直面が鳩目１５の外側に位置することで防護ネットＮが抜け出ることが防止される。
【００２３】
このようにして吊下ロープＲを防護ネット用連結具１０のロープ取付部１１の切欠部１４から押し込むようにして円形穴１３に通した後、ネット連結部１２を先端から防護ネットＮの取付孔ｎに押し込むことで吊下ロープＲへの防護ネットＮの連結が成される。
【００２４】
したがって、建築構造物への取付けの際には、屋上と養生台などのとの間に張られた吊下ロープＲに、予め必要個数などの防護ネット用連結具１０をロープ取付部１１を介して取付けておき、防護ネットＮの上昇とともに、取付孔ｎにネット連結部１２を押し込んで抜け止め１６が外側に位置するようにすることを繰り返す。
【００２５】
このように防護ネット用連結具１０を予め吊下ロープＲに多数装着しても絡み合う部分がなく上から順番に使用することができ、簡単に防護ネットＮの吊下ロープＲへの連結ができる。
【００２６】
そして、取付けのためには、防護ネット用連結具１０全体を吊下ロープＲに押すようにするとともに、防護ネットＮの取付孔ｎに押し込むだけの位置方向の作業で良く、作業者への負担もほとんど無く、取り外すときには、抜け止め１６を上から押すようにするだけで良い。
【００２７】
また、防護ネット用連結具１０を合成樹脂で一体に成形してあるので、風雨に晒されても錆びることがない。
【００２８】
なお、この実施の形態では、吊下ロープＲの両側に防護ネットＮが配置される場合の連結を例に説明したが、片側にのみ防護ネットが位置する場合の連結用としてネット連結部を両側とせず、一方側だけとしたものを用いるようにしても良い。
【００２９】
次に、この発明の防護ネット用連結具の他の一実施の形態について図２により説明する。
【００３０】
この防護ネット用連結具２０は、既に説明した防護ネット用連結具１０とロープ取付部２１の構成が異なっており、防護ネットＮに風圧などが作用しても吊下ロープＲが外れないようになっている。なお、ネット連結部１２の構成は同一であるので、同一部分に同一番号を記し、その説明は省略する。
【００３１】
この防護ネット用連結具２０のロープ取付部２１は、吊下ロープＲのロープ吊下方向である上下方向に吊下ロープＲの直径よりわずかに狭い間隔２２（例えば、吊下ロープＲの直径を８mmとした場合に７〜７．５mmとする。）で２つの係止部材２３が一体に形成してあり、上下２つの係止部材２３を上下に貫通して吊下ロープＲを余裕をもって通すことができる大きさの円形穴２４が形成され（例えば、吊下ロープＲの直径８mmに対して直径１２mmの穴とする。）、これら円形穴２４にそれぞれロープ吊下方向と交差した相対する外側である水平方向左右外側に開口する開口部２５を有するＵ字状の溝２６が形成され、これら円形穴２４、開口部２５、溝２６で切欠部２７が構成されている。
【００３２】
すなわち、上の係止部材２３には、図２（ａ）に示すように、図面手前側が開口した開口部２５および溝２６を備えた切欠部２７が形成されるのに対し、下の係止部材２３には、逆に図面奥側が開口した開口部２５および溝２６を備えた切欠部２７が形成されており、これら２つの係止部材２３の切欠部２７を上から見ると、上下２つの円形穴２４部分のみが貫通するようになっている。
【００３３】
したがって、この防護ネット用連結具２０では、構造物の屋上などと養生台などの間に張られた吊下ロープＲに対して防護ネット用連結具２０を９０度横にして係止部材２３，２３の間隔２２を垂直に配置し、この係止部材２３，２３の間に吊下ロープＲが位置するように押し込んだのち、防護ネット用連結具２０を９０度回転して切欠部２７の開口部２５および溝２６を利用して吊下ロープＲに２つの係止部材２３が垂直になるようにする。
【００３４】
すると、吊下ロープＲに対して上下２つの係止部材２３，２３で全周にわたって係止部材２３，２３が位置することになり、防護ネットＮを連結した状態であらゆる方向に風圧などが作用しても吊下ロープＲに確実に連結した状態を確保することができる。
【００３５】
このような防護ネット用連結具２０を用いて防護ネットＮを建築構造物に取付ける場合には、屋上と養生台などのとの間に張られた吊下ロープＲに、予め必要個数などの防護ネット用連結具２０をロープ取付部２１を介して取付けておき、防護ネットＮの上昇とともに、取付孔ｎにネット連結部１２を押し込んで抜け止め１６が外側に位置するようにすることを繰り返すようにすれば良い。
【００３６】
また、吊下ロープＲから防護ネット用連結具２０を取り外す場合には、取付の場合と逆に、切欠部２７の開口部２５および溝２６を利用して９０度横にした後、２つの係止部材２３，２３の間隔２２を利用して取り出すようにすれば良く、簡単に吊下ロープＲから取り外すことができる。
【００３７】
さらに、防護ネットＮの片縁のみを連結する場合には、ネット連結部２１を一方側だけに形成したものとすれば良いのは、上記実施の形態と同様であるが、この場合でも、ロープ取付部の全周に係止部材のいずれかの部分が位置するので、９０度横にならない限り外れることがない。
【００３８】
なお、上記各実施の形態では、ロープ取付部に吊下ロープを入れるための切欠部の幅を変えて吊下ロープを押し込むようにしたが、切欠部の対向面に突起を形成して幅を狭め、これにより吊下ロープを押し込んで簡単に抜けないようにしても良い。
【００３９】
【発明の効果】
以上一実施の形態とともに具体的に説明したように、この発明の請求項１記載の防護ネット用連結具によれば、ロープ取付部に切欠部を形成するとともに、ロープ取付部の一方側または両側に突き出して抜け止めが形成されたネット連結部を形成するようにしたので、吊下ロープを切欠部からロープ取付部に入れるようにするとともに、ネット連結部をネットの取付孔に抜け止めに抗して押し込むことで簡単に吊下ロープと防護ネットとの連結ができるようになり、作業者の負担が少なく、絡み合うこと無く作業が容易となる。
【００４０】
また、この発明の請求項２記載の防護ネット用連結具によれば、ロープ取付部の切欠部の幅を吊下ロープを押し込むことができるように狭めるとともに、両側に形成したネット連結部側に開口するようにしたので、一層確実に吊下ロープに支持できるとともに、吊下ロープへの取付けと防護ネットの取付けを同一方向への操作で簡単に行うことができる。
【００４１】
さらに、この発明の請求項３記載の防護ネット用連結具によれば、ロープ取付部を吊下ロープの軸方向に間隔をあけて吊下ロープを押し込むことができる２つの係止部材と、これら２つの係止部材のそれぞれに逆方向の外側から吊下ロープが入る開口を形成するようにしたので、２つの係止部材の間から入れた吊下ロープを外側の開口から起すようにすることで簡単に吊下ロープの取付けができ、しかも取付後の抜け落ちの恐れがなく、確実な取付けができる。
【図面の簡単な説明】
【図１】この発明の防護ネット用連結具の一実施の形態にかかる外観斜視図および使用状態の斜視図である。
【図２】この発明の防護ネット用連結具の他の一実施の形態にかかる外観斜視図および使用状態の斜視図である。
【図３】従来の防護ネットの連結金具にかかる外観斜視図および使用状態の斜視図である。
【符号の説明】
Ｒ  吊下ロープ
Ｎ  防護ネット
ｎ  取付孔
１０  防護ネット用連結具
１１  ロープ取付部
１２  ネット連結部
１３  円形穴
１４  切欠部
１５  鳩目
１６  抜け止め
２０  防護ネット用連結具
２１  ロープ取付部
２２  間隔
２３  係止部材
２４  円形穴
２５  開口部
２６  溝
２７  切欠部
【図１】
0003839094.tif 000002
【図２】
0003839094.tif 000003
【図３】
0003839094.tif 000004